(57)【要約】【課題】物流容器の全ての面に洗浄ノズルからの水を垂直且つ均等に当てて全ての面を均等に洗浄すること、又、洗浄圧力を逃がさず、洗浄効率を向上させることを目的とする。【解決手段】コンベア４上に物流容器７を載せて自動的に搬送しつつ洗浄室２内で物流容器７を洗浄する洗浄装置１であって、コンベア４の途中に物流容器７が転倒させられる転倒機構５を備え、転倒機構５は、コンベア４の途中に形成された、コンベア４の進行方向に向かって低くなる段差５１で構成されていることを特徴とする物流容器の洗浄装置１。【選択図】  図１
2018202359.tif 000002
【特許請求の範囲】
【請求項１】
コンベア上に物流容器を載せて自動的に搬送しつつ洗浄室内で物流容器を洗浄する洗浄装置であって、前記コンベアの途中に物流容器が転倒させられる転倒機構を備えていることを特徴とする物流容器の洗浄装置。
【請求項２】
前記転倒機構は、コンベアの途中に形成された、コンベアの進行方向に向かって低くなる段差で構成されていることを特徴とする請求項１に記載の物流容器の洗浄装置。
【請求項３】
洗浄装置の洗浄室内の上部に設置された洗浄ノズルは、上下動自在に設置されていることを特徴とする請求項１又は２に記載の物流容器の洗浄装置。
【請求項４】
洗浄装置の洗浄室内の側部に設置された洗浄ノズルは、部分的に開閉自在に設置されていることを特徴とする請求項１から３のうち何れか１項に記載の物流容器の洗浄装置。
【請求項５】
コンベア上に物流容器の底面を垂直に立てた状態で設置して洗浄を行った後に、物流容器を転倒させて前記物流容器の底面をコンベアと平行にした状態で洗浄を行うことを特徴とする物流容器の洗浄方法。
【請求項６】
物流容器はコンベアの段差により自然転倒させることを特徴とする請求項５に記載の物流容器の洗浄方法。
【発明の詳細な説明】
【技術分野】
【０００１】
本発明は、物流容器の洗浄方法に関し、特に縦横の寸法がモジュール化された物流容器の洗浄方法に関する。
【背景技術】
【０００２】
流通業界では物流合理化の為、物流容器のモジュール化（縦×横）で標準化を進めている。例えば、国際（ＩＳＯ）包装モジュールに準じた寸法の取り決めで縦横を６０ｃｍ×４０ｃｍの寸法とすることや、Ｔ１１即ち、縦横を１１０ｃｍ×１１０ｃｍとして一貫パレチゼーションにあった容器モジュールの取り決め、同一業界内での統一容器の使用等の標準化が挙げられる。
【０００３】
そして、物流容器を使用する企業の多くは、物流容器の相互積み重ねによる合理化の為、物流容器の底面寸法即ち縦横寸法を統一する傾向にあり、縦横寸法が統一された物流容器の流通量が増えてきている。
【０００４】
そして、多くの物流容器の寸法は使用時及び積層時の安定性確保の為、縦又は横の長さに対して、高さ方向の長さが短くなっている。例えば、ＩＳＯ包装モジュールを例に取ると、縦６０ｃｍ×横４０ｃｍで縦横の寸法が一定で、高さは１０ｃｍ〜３２ｃｍ、具体的には、有効高さが１０ｃｍ、１３ｃｍ、１５ｃｍ、１８ｃｍ、１９ｃｍ、２３ｃｍ、２６ｃｍ及び３２ｃｍの８種類である。このように、流通している物流容器の大半が、高さ寸法が縦横の長辺寸法の最大で約１／２の容器である。
【０００５】
尚、物流コストを下げる為、更には物流容器の未使用時の流通における効率性向上の為、物流容器としては折り畳式容器の使用が多くなってきている。
【０００６】
そして、物流容器の洗浄方法としては、従来から、物流容器の搬送手段であるコンベア、洗浄手段、乾燥手段等を備えた洗浄装置を用いて、物流容器をコンベアに載置して移動させて洗浄工程、乾燥工程等を連続して行う方法が用いられている（特許文献１）。
【０００７】
このような従来の洗浄装置は、基本的機能として粗洗浄機能、本洗浄機能及び濯ぎ機能を備えて構成され、一直線状に配置されているものが多い。洗浄装置での物流容器の洗浄方法としては、主に温水のみ又は温水と洗剤を組合せた洗浄方法が採用され、これらの洗浄及び濯ぎは、夫々洗浄ノズルと濯ぎノズルから噴射される洗浄水、濯ぎ水等の水等により行われている。又、洗浄装置における洗浄圧力は、汚損状態と経済性を考慮して、低圧、中圧又は高圧に選択が可能なように構成されているものが多い。
【０００８】
洗浄装置は洗浄される物流容器の最大高さに合わせて設計され、異なる高さの物流容器が洗浄可能に構成されているものが多く、又、洗浄時の水の圧力で物流容器が踊らないようにコンベアの両側端部にガイドバーが設けられており、アジャストが可能に構成されているものもある。
【０００９】
又、洗浄ノズル及び濯ぎノズルは、洗浄室と濯ぎ室の上部、下部及び両側部に設けられ、噴射角度を異ならせたノズル孔を備え、コンベアの上方、下方及び側方からコンベア方向、即ち物流容器方向に水等を噴射している。そして、物流容器の洗浄工程において、洗浄装置のコンベア上に物流容器の上部開口を上向きに、又は上下を逆さにして上部開口を下向きに、且つ物流容器の縦横の何れか一方、一般的には短辺側の面を進行方向に向けて設置して、物流容器をコンベア上を流して洗浄している。
【先行技術文献】
【特許文献】
【００１０】
【特許文献１】特開２００９−７２７５８号公報
【発明の概要】
【発明が解決しようとする課題】
【００１１】
このように、従来の洗浄装置を用いた洗浄方法では、噴射角度を異ならせたノズル孔を備えた洗浄ノズルと濯ぎノズルが夫々洗浄室と濯ぎ室の上部、下部及び両側部に設けられていると共に、図１０に示すように、物流容器９９の縦横の何れか一方、一般的には短辺側の面９８が矢印で示す進行方向に向いた状態でコンベア上を流れているので、物流容器９９の他方、一般的には長辺側の面９７に対しては洗浄ノズルからの水が垂直に当たり、汚れが良く落ちるが、進行方向に向かっている或いは後ろ向きの短辺側の面９８に対しては洗浄ノズルから噴射される水が垂直に当たるのではなく、斜め上方、斜め下方又は斜め横方から当たり、洗浄圧力が逃げ、洗浄効率が落ち、物流容器の四側面及び全ての面が均一に洗浄出来ないという問題点があった。
【００１２】
更に、物流容器の進行方向の前後方向を向いた面、一般的には短辺側の面の洗浄効率を上げるために、言い換えれば短辺側の面及び長辺側の面の双方、或いは四側面の洗浄効率を高めるため、図１１に示すように、洗浄ライン１００をＬ字型に曲げて配置し、或いは図１２に示すように、洗浄ライン１００の途中に物流容器９９の２次元の向きを反転させる反転装置９０を設置して、洗浄の途中で物流容器９９の矢印で示す進行方向を９０度変えて、進行方向を向く面を変えて、短辺側の面９８及び長辺側の面９７の双方に対して洗浄ノズルから噴射される水が垂直に当たるようにして洗浄する方法、装置が使用されていた。しかし、このような洗浄装置は、洗浄装置の設置スペースが広く必要であるという問題点や洗浄装置が複雑化するという問題点があった。
【００１３】
又、図１３及び図１４に示すように、高さが１０ｃｍの物流容器９９も３２ｃｍの物流容器９９１も、即ち異なる高さの物流容器も同じ洗浄装置９０を用いて、同量の水及び洗剤を用いて洗浄を行っているので、その洗浄装置において洗浄可能な最大の物流容器９９１の大きさより小さい物流容器９９を洗浄している時は、物流容器９９に当らない空間１００に噴射される水や洗剤の無駄や、洗浄ノズル９１から物流容器９９までの距離が遠くなり、そこに生じる空間１００によりエネルギーロスが大きいという問題点があった。
【課題を解決するための手段】
【００１４】
以上のような課題を解決するための手段としての本発明は、コンベア上に物流容器を載せて自動的に搬送しつつ洗浄室内で物流容器を洗浄する洗浄装置であって、前記コンベアの途中に物流容器が転倒させられる転倒機構を備えていることを特徴とする物流容器の洗浄装置である。
【００１５】
又、上記物流容器の洗浄装置において、前記転倒機構は、コンベアの途中に形成された、コンベアの進行方向に向かって低くなる段差で構成されていることを特徴とする物流容器の洗浄装置である。
【００１６】
又、上記物流容器の洗浄装置において、洗浄装置の洗浄室内の上部に設置された洗浄ノズルは、上下動自在に設置されていることを特徴とする物流容器の洗浄装置である。
【００１７】
又、上記物流容器の洗浄装置において、洗浄装置の洗浄室内の側部に設置された洗浄ノズルは、部分的に開閉自在に設置されていることを特徴とする物流容器の洗浄装置である。
【００１８】
又、コンベア上に物流容器の底面を垂直に立てた状態で設置して洗浄を行った後に、物流容器を転倒させて前記物流容器の底面をコンベアと平行にした状態で洗浄を行うことを特徴とする物流容器の洗浄方法である。
【００１９】
又、上記物流容器の洗浄方法において、物流容器はコンベアの段差により自然転倒させることを特徴とする物流容器の洗浄方法である。
【発明の効果】
【００２０】
以上のような本発明によれば、物流容器の全ての面に洗浄ノズルからの水を垂直に、且つ均等に当てることが出来るので、洗浄圧力が逃げず、洗浄効率を向上させることが出来ると共に、全ての面を均等に洗浄することが出来た。
【００２１】
又、物流容器の四側面を均等に洗浄可能な洗浄装置であっても、洗浄装置を簡素化し、洗浄装置の設置スペースを狭くすることが出来た。又、同じ長さの洗浄ラインで洗浄時間を長くすることが出来、或いは、洗浄ラインの長さを短縮することが出来た。
【００２２】
又、洗浄ノズルが上下動自在に設置された構成により、洗浄ノズルから物流容器までの距離を調整することが出来、エネルギーロスを小さく抑えることが可能となった。又、洗浄ノズルを開閉自在な構成としたので、水や洗剤の無駄を防止することが出来た。
【図面の簡単な説明】
【００２３】
【図１】本発明実施例側面図
【図２】本発明実施例平面図
【図３】図１Ａ−Ａ断面図
【図４】図１Ｂ−Ｂ断面図
【図５】物流容器設置状態図
【図６】本発明実施例側面図
【図７】図６Ｃ−Ｃ断面図
【図８】本発明実施例側面図
【図９】図８Ｄ−Ｄ断面図
【図１０】従来技術を示す概略図
【図１１】従来技術を示す概略図
【図１２】従来技術を示す概略図
【図１３】従来技術を示す側面図
【図１４】従来技術を示す図１３Ｚ−Ｚ断面図
【発明を実施するための形態】
【００２４】
以下、本発明の実施の形態を図を参照して説明する。図１及び図２に示すように、物流容器用の洗浄装置１は、筐体１０の内部を貫通する搬送装置４０上に物流容器７を載せて自動的に搬送しつつ物流容器７を洗浄する洗浄装置であって、筐体１０の内部に、上流側（図１において左側）から下流側（図１において右側）に向けて、洗浄を行う本洗浄室２１と濯ぎを行う濯ぎ室２２を備えた断面略方形の洗浄室２が設けられ、洗浄室２内には洗浄用ノズル３が設置されると共に、物流容器を移動させる搬送装置４０としてのコンベア４が設けられ、コンベア４の途中に物流容器７が転倒させられる転倒機構５を備えて構成されている。
【００２５】
物流容器７は長方形の底板７１と４枚の側壁７２で構成される、上部が開口した長方体であり、底板７１から上部開口７０までの縦辺７６は、底板７１の長辺７８及び短辺７９より短く構成されている。洗浄する物流容器７は、４枚の側壁７２を底板７１に重ねるように折り畳みが可能な折り畳式容器であってもよく、折り畳みが出来ない固定式容器であってもよい。又、底板７１と側壁７２には貫通孔が設けられていなくてもよいが、貫通孔が設けられ、網目状等に構成されていてもよい。
【００２６】
筐体１０は外形が略直方体形状であり、上流側と下流側の両端が洗浄室２に開口し、筐体１０の上流側の端部には、物流容器７をコンベア４上に設置する搬入台１１が設置され、下流側の端部には、筐体１０から排出された物流容器７が置かれる搬出台１２が設置され、搬入台１１及び搬出台１２には、洗浄室２内のコンベア４と連続してコンベア４が設けられている。
【００２７】
洗浄室２は、洗浄する物流容器７をコンベア４上に載置した際に、物流容器７の上部開口７０を上流側又は下流側に向け、底板７１がコンベア４の進行方向に直角に位置する状態であると同時に底板７１がコンベア４に対して垂直の状態である立てた状態で搬送が可能な大きさに構成されている。従って、洗浄室２の高さは、少なくとも物流容器７の短辺７９或いは長辺７８の長さより高く構成されている。
【００２８】
洗浄用ノズル３は、図示しない給水管を介して洗浄水や濯ぎ水が供給され、図１〜図４によく示すように、洗浄室２の底部２０１、上部２０２及び両側部２０３に設置され、洗浄室２の四方から物流容器７を洗浄可能となっている。そして洗浄用ノズル３としては洗浄ノズル３１と濯ぎノズル３２を備え、本洗浄室２１に設置される洗浄ノズル３１からは、水と洗剤を含む洗浄水が供給され、濯ぎ室２２に設置される濯ぎノズル３２からは、水を含む濯ぎ水が供給される。尚、洗浄ノズル３１から供給される洗浄水は循環温水、濯ぎノズル３２から供給される濯ぎ水は新しい水を使用し、使用後の濯ぎ水は洗浄水に使用することが出来る。
【００２９】
コンベア４は、図示しない電源により駆動されるモータ等により自動回転して物流容器７を自動的に搬送する装置であり、洗浄室２の底部２０１に設けられた洗浄用ノズル３の上方に設置され、例えばローラーコンベア、網目状のベルトコンベア、チェーンコンベア等の隙間がある構成により、洗浄室２の底部２０１に設けられた洗浄用ノズル３から噴射される水等がコンベア４上に載置された物流容器７に到達するように構成されている。
【００３０】
本洗浄室２１において、コンベア４の途中に、物流容器７が、底板７１がコンベア４に対して垂直の状態である立てた状態から物流容器７の上部開口７０又は底板７１の裏面７１１が上方を向き、側壁７２がコンベア４に対して垂直の状態の転倒状態に転倒させられる転倒機構５が設けられている。
【００３１】
この物流容器７を側面視で９０度回転させる転倒機構５は、コンベア４の途中に形成された、コンベアの進行方向に向かって低くなる段差５１を備えて構成されている。段差５１は、上流側の水平状態のコンベア４１と、コンベア４１の下流側で、上流側で低く下流側に向かって高くなるように傾斜させた傾斜コンベア４２と、傾斜コンベア４２の下流側の水平状態のコンベア４３を備えて構成されている。コンベア４１とコンベア４３は同じ高さでもよいが異なる高さとしてもよい。
【００３２】
段差５１の高さは物流容器７を転倒させることが出来れば特に限定はないが、異なる物流容器７の高さに応じて段差５１の高さＬを変更可能な構成とすることが好ましい。具体的には、傾斜コンベア４２の下流側をより低い位置に設置したり、コンベア４３よりコンベア４１の高さを高くすること等により段差５１の高さＬを変更可能とすることが出来る。
【００３３】
尚、転倒機構は物流容器７の自然転倒を利用した機構でもよく、機械的に転倒させる機構でもよい。転倒機構は、図示はしないが、コンベアの途中に形成された、コンベアの進行方向に向かって高くなる段差を備えて構成することとしてもよい。この段差は、上流側の水平状態のコンベアと、上流側で高く下流側に向かって低くなるように傾斜させた傾斜コンベアと、傾斜コンベアの下流側の水平状態のコンベアを備えて構成することが出来る。更に、コンベアの途中に形成された、コンベアの上方に設置した横棒で構成して、流れてきた物流容器が横棒により転倒させられる機構や、コンベアの途中に形成された、コンベアの上方に設置した自動突出し棒で構成し、突出し棒で物流容器の上部を押して進行方向に転倒させる機構を採用することとしてもよい。
【００３４】
洗浄室２の高さは、洗浄する物流容器７の縦辺７６より高く構成され、同じ洗浄装置で縦辺７６の長さが異なる物流容器を洗浄することが可能であり、特に、図５〜図７に示すように、縦辺７６の長さが異なる物流容器を同時に洗浄することが出来る。
【００３５】
洗浄室２の上部２０２に設置される洗浄用ノズル３は上下動自在に設置されていることが好ましい。このような構成とすることで、どのようなサイズの物流容器７に使用しても、洗浄用ノズル３から物流容器７までの距離を近くすることが出来、エネルギーロスを防止することが出来るからである。特に、図８及び図９に示すように、段差５１より下流側の洗浄用ノズル３は、物流容器７が転倒状態であり、コンベア４上での物流容器７の高さは低くなるので、このような構成とすることがより好ましい。段差５１より下流側の洗浄用ノズル３、即ち洗浄ノズル３１と濯ぎノズル３２の上下の作動は別々でもよいが一体でもよい。
【００３６】
同様な理由から、洗浄室２に設置されるコンベア４の全部又は一部が上下動自在に設置されている構成としてもよい。この場合の洗浄用ノズル３は上下動自在でもよいが上下動が出来ない構成でもよい。
【００３７】
洗浄室２の両側部２０３に設置される洗浄用ノズル３は、部分的に開閉自在とすることが好ましい。具体的には、図９に示すように、両側部２０３に設置される洗浄用ノズル３の上方部分の一部分をバルブ８等により開閉自在として、水流を止め、洗浄用ノズル３から水の噴射を止めることが出来るように構成することが好ましい。このような構成とすることで、どのようなサイズの物流容器７に使用しても、物流容器７に当たらない洗浄用ノズル３からの水を止めて水や洗剤の無駄を防止することが出来るからである。特に、段差５１より下流側の洗浄用ノズル３は、物流容器７が転倒状態であるので、このような構成とすることがより好ましい。
【００３８】
尚、図示はしないが、洗浄室２には、本洗浄室２１の上流側に物流容器の本洗浄の前に粗洗浄を行う粗洗浄室を設けてもよく、又、濯ぎ室２２の下流側に物流容器の乾燥を行う乾燥室を設けてもよい。
【００３９】
本洗浄室２１及び濯ぎ室２２を備えた洗浄室２は一体的な筐体１０によって構成されているが、本洗浄室２１の一部を構成する、物流容器７の底板７１がコンベア４に対して垂直の状態である立てた状態で主に４面の側壁７２を洗浄するゾーンＶ、物流容器７を転倒させるゾーンＷ、上部開口７０又は底板７１の裏面７１１が上方を向き、側壁７２がコンベア４に対して垂直の状態の転倒状態で主に底板７１の裏面７１１及び内側面を洗浄するゾーンＸ、濯ぎ室２２を構成する濯ぎをするゾーンＹのゾーン毎に分割された或いは本洗浄室２１と濯ぎ室２２に分割された筐体を連結して構成してもよい。又、物流容器７を転倒させるゾーンＷは、筐体に覆われることなく、開放した構成としてもよい。
【００４０】
次に洗浄装置１を用いた物流容器７の洗浄方法について説明する。図１及び２に示すように、物流容器７を搬入台１１でコンベア４上に設置する。この際、物流容器７は、上部開口７０を上流側又は下流側に向け、底板７１がコンベア４の進行方向に直角に位置する状態であると同時に底板７１がコンベア４に対して垂直の状態である立てた状態で設置する。言い換えれば、一つの側壁７２をコンベア４に接地させて設置する。コンベア４に接地させる側壁７２は、底板７１の長辺７８を含む側壁７２とすることが好ましい。このような設置方法とすることで、物流容器７が転倒状態となった時に進行方向の長さが短辺７９となり、長辺７８が進行方向の長さとなる場合と比較して路長の短縮が可能となるからである。
【００４１】
物流容器７の設置は、前後の他の物流容器７とはなるべく間隔を開けないで、より好ましくは全く間隔を設けないで設置することが好ましい。このように設置することで、路長の短縮が可能となる。前後の他の物流容器７とは重ねてもよいが重ねなくてもよい。
【００４２】
物流容器７はコンベア４で運搬されて筐体１０内に入り、本洗浄室２１において、コンベア４１上の物流容器７は、洗浄室２の底部２０１、上部２０２及び側部２０３に設置された洗浄ノズル３１から噴射される洗浄水で四側壁７２が同時に均一の水圧で洗浄される。このようにして四側壁７２の洗浄が効率的且つ均一的に行われる。尚、本洗浄室２１の上流側に粗洗浄室を設け、物流容器の本洗浄の前に粗洗浄を行うこととしてもよい。
【００４３】
物流容器７の高さにもよるが、代表的なサイズとして６０ｃｍの高さの物流容器７に対して、２０ｃｍの高さの物流容器７であれば、進行方向に１／３の長さとなり、時間的に３倍洗浄されることになるので、路長を短縮可能であり、又は同じ速度であれば、洗浄時間が長くなるので、より綺麗にすることが出来る。更に、洗浄水や濯ぎ水は６０℃程度の温水が使用されることが多く、常温の水を温水にするボイラーでは灯油、軽油又は重油等の燃料が使用されているが、路長を短縮することで、使用する温水量及び燃料の使用量を少なくすることが出来、コスト及びＣＯ２の削減に繋がり環境にも寄与することが出来る。
【００４４】
又、ＩＳＯ包装モジュールの場合、縦６０ｃｍ×横４０ｃｍであり、縦６０ｃｍに対して高さは最大で略１／２であり、進行方向に縦を沿わす場合に比べて、同じ洗浄速度であれば２倍の洗浄時間が得られる。又、より低い容器では更に長い時間の洗浄が可能となる。従って、洗浄速度をあげることが可能となる。
【００４５】
底板７１の裏面７１１及び内側面は側壁７２に洗浄水を当てて洗浄している間に濡れ、本洗浄室２１内の湿度は略１００％と高いので、汚れが膨潤し、落ち易くなってくる。そして、物流容器７は転倒機構５である段差５１により自然落下及び転倒して、傾斜コンベア４２上に、上部開口７０又は底板７１の裏面７１１が上方を向き、側壁７２がコンベア４に対して垂直の状態の転倒状態で載る。この時に、物流容器７を搬入台１１でコンベア４上に設置する際に上部開口７０を上流側又は下流側に向けると共に、底板７１の長辺７８を含む側壁７２が接地しているので、底板７１の長辺７８を含む側壁７２が進行方向に向き、底板７１の短辺７９を含む側壁７２が進行方向に沿った状態となるので、短辺７９を含む側壁７２が進行方向に向いた状態よりも出来高が向上し、或いは路長を短縮することが可能となる。尚、短辺が４０ｃｍ、長辺が６０ｃｍの場合、流す速度が同一であれば、出来高が３０％程度向上する。
【００４６】
そして、コンベア４３上で、洗浄室２の底部２０１、上部２０２及び側部２０３に設置された洗浄ノズル３１から噴射される洗浄水で物流容器７の底板７１の裏面７１１及び内側面が洗浄される。
【００４７】
次いで、物流容器７はコンベア４で濯ぎ室２２に運ばれ、濯ぎノズル３２から噴射される濯ぎ水で濯がれる。そして、物流容器７が筐体１０から排出されて搬出台１２に置かれて一連の洗浄工程が終了する。尚、濯ぎ室２２の下流側に乾燥室を設け、物流容器の濯ぎの後にエアブロー等の公知の方法で乾燥を行うこととしてもよい。
【産業上の利用可能性】
【００４８】
本発明によれば、物流容器の効率的、均一的な洗浄が可能となり、又、洗浄装置の簡素化を図ることが出来るので、流通業界や洗浄業界において極めて有用である。
【符号の説明】
【００４９】
１      洗浄装置
１０    筐体
２      洗浄室
２１    本洗浄室
２２    濯ぎ室
３      洗浄用ノズル
３１    洗浄ノズル
３２    濯ぎノズル
４      コンベア
４２    傾斜コンベア
４０    搬送装置
５      転倒機構
５１    段差
７      物流容器
７０    上部開口
７１    底板
７２    側壁
【図１】
2018202359.tif 000003
【図２】
2018202359.tif 000004
【図３】
2018202359.tif 000005
【図４】
2018202359.tif 000006
【図５】
2018202359.tif 000007
【図６】
2018202359.tif 000008
【図７】
2018202359.tif 000009
【図８】
2018202359.tif 000010
【図９】
2018202359.tif 000011
【図１０】
2018202359.tif 000012
【図１１】
2018202359.tif 000013
【図１２】
2018202359.tif 000014
【図１３】
2018202359.tif 000015
【図１４】
2018202359.tif 000016